(57)【要約】【課題】発射ハンドルの初期位置を遊技者の好みに合わせて変更可能にすることで操作性を向上させた遊技機用発射ハンドル、それを備えて疲労感なく遊技を楽しむことができる遊技機を提供する。【解決手段】操作解除部材１５を操作している間だけ固定手段１７によるハンドル本体９Ｂの固定状態を解除して前枠取付部１４に対して軸線を中心に回動可能となる。【選択図】図２
2012024379.tif 000002
【特許請求の範囲】
【請求項１】
遊技球を球発射装置から遊技領域へ発射する際に遊技者に回転操作される操作部材の回転量によって発射力を調整する遊技機用発射ハンドルであって、
前記操作部材を初期位置から所定の方向へ回転可能に軸支し、後端側を前枠取付部に対して当該前枠取付部の前方に向けて交差する軸線を中心に回動可能に組み付けられるハンドル本体と、
前記ハンドル本体を前記前枠取付部に対して所定位置とそれより前記軸線を中心に所定角度回動した位置にて固定する固定手段と、
前記固定手段による前記ハンドル本体の固定状態を解除する操作解除手段と、を具備し、
前記操作解除手段を操作している間だけ前記固定手段による前記ハンドル本体の固定状態を解除して前枠取付部に対して前記軸線を中心に回動可能となることを特徴とする遊技機用発射ハンドル。
【請求項２】
前記固定手段は、前記ハンドル本体の後端側であるハンドル基端部に設けられた被規制部と、該被規制部に対して当接したままの状態で相対的移動可能な規制部を備えており、前記操作解除手段の非操作状態において、前記規制部の前記被規制部に対する相対的移動を規制することで前記ハンドル本体の回動動作を規制し、前記操作解除手段を操作状態にすることで、前記規制部の前記被規制部に対する相対的移動を可能にすることで、前記ハンドル本体の回動動作を許容する請求項１記載の遊技機用発射ハンドル。
【請求項３】
前記固定手段は、前記ハンドル本体の後端側であるハンドル基端部に設けられた被規制部と、該被規制部に対して接離動する規制部を備えており、前記操作解除手段の非操作状態において、前記規制部を前記被規制部に当接させることで前記ハンドル本体の回動動作を規制し、前記操作解除手段を操作状態にすることで、前記規制部を被規制部から離間させて、前記ハンドル本体の回動動作を許容する請求項１記載の遊技機用発射ハンドル。
【請求項４】
請求項１乃至請求項３のいずれか１項記載の遊技機用発射ハンドルを備えたことを特徴とする遊技機。
【発明の詳細な説明】
【技術分野】
【０００１】
本発明は、例えばパチンコ機に用いられる遊技機用発射ハンドルを備えた遊技機に関する。
【背景技術】
【０００２】
パチンコ機の前面枠には球受け皿が設けられており、球受け皿は遊技球を一時的に貯留し、該貯留した遊技球を球発射装置の発射位置へ誘導する。また、前面枠には手前側に突出する遊技機用発射ハンドルが設けられている。この発射ハンドルの操作部材を遊技者が回転操作することにより、球発射装置を作動させ、球受け皿から発射位置に供給された遊技球を駆動源（モータ、ソレノイド等）により駆動する打球槌により打撃して発射レールを通じて遊技領域に向けて発射する。
【０００３】
従来のパチンコ機においては、遊技者が発射ハンドルの操作部材を初期位置から所定角度回転操作した状態で遊技を継続するようになっているが、遊技者が長時間操作部材の操作を継続すると腕が疲労し易く、集中力が低下して遊技を十分に楽しめないという課題があった。
【０００４】
そこで、発射ハンドルの位置や角度を遊技者の好みに合わせて調節して遊技を継続可能にした遊技機が提案されている。
例えば、操作ハンドルが全方位に回動自在に支持され、所定の回動角度で固定するようにした遊技機（特許文献１参照）や、発射ハンドルを前枠前面の所定平面内（例えば水平面内）において二次元で可動可能に軸支され、所定位置でハンドルユニットを固定或いは固定解除する位置決め機構を備えた遊技機が提案されている（特許文献２参照）。
【先行技術文献】
【特許文献】
【０００５】
【特許文献１】特許３６５０７２０号公報
【特許文献２】特開２００５−１８５６６９号公報
【発明の開示】
【発明が解決しようとする課題】
【０００６】
特許文献１，２に示す遊技機においては、発射ハンドルの位置（方向）を変更することができるが、遊技継続のための遊技者の操作部材の回転動作は何ら負担軽減になっていない。
特に、近年大当たりしたときなどに、遊技球を遊技領域の右側に向かって打ち出す遊技機が多く、遊技者は腕を目いっぱいひねった状態で遊技する必要にせまられ、発射ハンドルの位置によっては、かえって腕が疲れ易く、集中力が低下して遊技を十分に楽しめないという課題があった。
【０００７】
本発明の目的は、上記従来技術の課題を解決し、発射ハンドルの操作部材の初期位置を遊技者の好みに合わせて変更可能にすることで操作性を向上させた遊技機用発射ハンドル、それを備えて疲労感なく遊技を楽しむことができる遊技機を提供することにある。
【課題を解決するための手段】
【０００８】
本発明は上記目的を達成するため、次の構成を備えることを特徴とする。
遊技球を球発射装置から遊技領域へ発射する際に遊技者に回転操作される操作部材の回転量によって発射力を調整する遊技機用発射ハンドルであって、前記操作部材を初期位置から所定の方向へ回転可能に軸支し、後端側を前枠取付部に対して当該前枠取付部の前方に向けて交差する軸線を中心に回動可能に組み付けられるハンドル本体と、前記ハンドル本体を前記前枠取付部に対して所定位置とそれより前記軸線を中心に所定角度回動した位置にて固定する固定手段と、前記固定手段による前記ハンドル本体の固定状態を解除する操作解除手段と、を具備し、前記操作解除手段を操作している間だけ前記固定手段による前記ハンドル本体の固定状態を解除して前枠取付部に対して前記軸線を中心に回動可能となることを特徴とする。
【０００９】
また、前記固定手段は、前記ハンドル本体の後端側であるハンドル基端部に設けられた被規制部と、該被規制部に対して当接したままの状態で相対的移動可能な規制部を備えており、前記操作解除手段の非操作状態において、前記規制部の前記被規制部に対する相対的移動を規制することで前記ハンドル本体の回動動作を規制し、前記操作解除手段を操作状態にすることで、前記規制部の前記被規制部に対する相対的移動を可能にし、前記ハンドル本体の回動動作を許容することを特徴とする。
【００１０】
具体的には、前記被規制部は、前記ハンドル基端部の外周面に周方向に形成された凹凸面であり、前記規制部は前記被規制部の凹凸面に押し当てられる揺動部材と、該揺動部材の揺動を規制する揺動規制部で構成され、前記揺動規制部が前記揺動部材の揺動を規制することで、前記ハンドル本体の回動動作を規制し、前記操作解除手段を操作して前記揺動部材の揺動規制を解除することにより、前記ハンドル本体の回動動作を許容することを特徴とする。
詳しくは、前記揺動部材には回転体が回転可能に軸支されており、前記揺動規制部によって、前記回転体が前記ハンドル基端部の凹凸面の凹部に押し当てられたまま前記回転体の前記凹凸面に対する相対的転がり移動を規制することで前記ハンドル本体の回動動作を規制し、前記操作解除手段を操作して前記回転体の前記凹凸面に対する相対的転がり移動の規制を解除することにより、前記ハンドル本体の回動動作を許容することを特徴とする。
【００１１】
また、前記固定手段は、前記ハンドル本体の後端側であるハンドル基端部に設けられた被規制部と、該被規制部に対して接離動する規制部を備えており、前記操作解除手段の非操作状態において、前記規制部を前記被規制部に当接させることで前記ハンドル本体の回動動作を規制し、前記操作解除手段を操作状態にすることで、前記規制部を被規制部から離間させて、前記ハンドル本体の回動動作を許容することを特徴とする。
【００１２】
具体的には、前記ハンドル基端部の後端面には周方向で複数箇所に放射状に当接歯が形成された被規制部が設けられており、前記規制部はいずれか一つの当接歯間に入り込むことで前記被規制部の回動動作を規制することを特徴とする。
より詳しくは、前記操作解除手段の非操作状態において、前記規制部は前記被規制部に対して軸方向に接近して前記当接歯間に入り込むことで前記ハンドル本体の回動動作を規制し、前記操作解除手段を操作状態にすることで、前記規制部が被規制部に対して軸方向に離間して前記当接歯間より抜け出ることで、前記ハンドル本体の回動動作を許容することを特徴とする。
又は、前記操作解除手段の非操作状態において、前記規制部は前記被規制部に対して径方向に接近して前記当接歯間に入り込むことで前記ハンドル本体の回動動作を規制し、前記操作解除手段を操作状態にすることで、前記規制部が被規制部に対して径方向に離間して前記当接歯間より抜け出ることで、前記ハンドル本体の回動動作を許容することを特徴とする。
【００１３】
また、前記ハンドル基端部の後端面には周方向で複数箇所に凹部が形成された被規制部が設けられており、前記規制部は凸部であり、前記操作解除手段の非操作状態において、前記凸部がいずれか一つの凹部に嵌り込むことで前記ハンドル本体の回動動作を規制し、前記操作解除手段を操作状態にすることで、前記凸部が前記凹部から抜け出て、前記ハンドル本体の回動動作を許容することを特徴とする。
具体的には、前記ハンドル基端部の後端面に周方向で複数箇所に前記凹部が形成された被規制板が設けられ、前記被規制板より後面側に一端側が固定された長尺状の板ばねの他端側に前記凸部が突設されており、前記操作解除手段の非操作状態において、前記板ばねのばね力により前記凸部がいずれか一つの前記凹部に嵌り込むことで前記ハンドル本体の回動動作を規制し、前記操作解除手段を操作状態にすることで、前記板ばねを撓ませ前記凸部を前記凹部から抜け出させて、前記ハンドル本体の回動動作を許容することを特徴とする。
【００１４】
また、遊技機においては、上述した遊技機用発射ハンドルを備えたことを特徴とする。
【発明の効果】
【００１５】
上述した遊技機用発射ハンドルを用いれば、遊技者が操作解除手段を操作状態にすることで、規制部の被規制部に対する規制状態が解除され、ハンドル本体を前枠取付部に対して所定量回動させた所定位置で固定手段により固定して操作部材を操作することができる。
よって、遊技者の好みの位置にハンドル本体を前枠取付部に対して所定位置より回転させ、操作部材の初期位置を変更することで、長時間ハンドル操作しても疲労感が少なく遊技を楽しむことができる。
【００１６】
また、操作解除手段を操作したままハンドル本体を前枠取付部に対して所定位置より回転させた位置で非操作状態にすることで規制部が被規制部に対して係合してハンドル本体の回動動作が規制されるので、操作性が良く、容易にハンドル本体の位置変更が可能なので、遊技に支障を与えることなく遊技者の使い勝手が向上する。
【００１７】
遊技者が操作解除手段を操作したままハンドル本体を回動させる際に規制部が非規制部に当接したまま相対移動するので、遊技者がハンドル本体を回動操作する際に適度なクリック感が得られ、ハンドル本体の回転角度の調整がしやすくなる。
【００１８】
規制部が被規制部に対して当接することでハンドル本体の回動動作を規制し、操作解除手段を操作状態にすることで、規制部を被規制部から離間させて、ハンドル本体の回動動作を許容するので、規制部を被規制部に接離動させるだけでハンドル本体の回動可否を部品点数の少ない簡素化した機構で実現でき、発射ハンドルの構造を簡素化して耐久性を向上させることができる。
【００１９】
また、遊技機に上述した遊技機用発射ハンドルを備えたことにより、ハンドル本体の位置を遊技状態や遊技者の好みに合わせて使用することができ、操作性が良く疲労感なく遊技を楽しむことができる。
【図面の簡単な説明】
【００２０】
【図１】パチンコ機の斜視図である。
【図２】初期位置にある発射ハンドルの斜視図、正面図及び右側面図である。
【図３】ハンドル本体を９０度回転させた状態の斜視図及び正面図である。
【図４】発射ハンドルの前方分解斜視図である。
【図５】発射ハンドルの後方分解斜視図である。
【図６】前枠取付部の正面図、左側面図、斜め上方斜視図及び斜め下方斜視図である。
【図７】図２（ｂ）の矢印Ａ−Ａ方向垂直断面図、図２（ｃ）の矢印Ｂ−Ｂ方向水平断面図である。
【図８】操作解除手段を操作して図７の初期位置からハンドル本体を１５度回転させた状態の垂直断面図及び水平断面図である。
【図９】図７の初期位置からハンドル本体を３０度回転させた状態の垂直断面図及び水平断面図である。
【図１０】他例に係る発射ハンドルの後方斜視図、側面図、後面図である。
【図１１】図１０のハンドル本体の後端側及び前枠取付部の後方分解斜視図である。
【図１２】解除操作部の非操作状態及び操作状態の垂直断面図である。
【図１３】他例に係る発射ハンドルの後方斜視図及び後面図である。
【図１４】図１３のハンドル本体の後端側及び前枠取付部の後方分解斜視図である。
【図１５】解除操作部の非操作状態及び操作状態の垂直断面図である。
【発明を実施するための形態】
【００２１】
以下、本発明の実施形態について図面を参照しながら具体的に説明する。図１を参照して本実施形態に係る遊技機の概略構成について説明する。本実施例としては、遊技機の一例としてパチンコ機について説明するものとする。
【００２２】
先ずパチンコ機１の概略構成について説明する。図１において、パチンコ機１の外形をなす外枠２に対して上下に設けられたヒンジ部４により内枠３が開閉可能に取り付けられ、該内枠３の前面を覆う前面枠５がヒンジ部４を中心に開閉可能に取り付けられている。内枠３には前面側に遊技領域が形成される遊技盤が設けられると共に該遊技盤の下方には遊技領域へ向かって遊技球を発射する球発射装置が組み付けられている。前面枠５の上部には、スピーカ６や図示しない装飾装置が設けられている。また、窓部５ａには遊技領域を覆う透明部材（ガラス枠）５ｂが設けられ、該透明部材（ガラス枠）５ｂを通じて遊技領域が視認可能となっている。
【００２３】
また、図１において、前面枠５の下方には貸球や賞球等の遊技球を一時的に貯留し、該遊技球を球発射装置へ誘導する球受け皿７が設けられている。球受け皿７の右側には、球発射装置によって遊技領域へ発射される遊技球の発射力を調節するための発射ハンドル９が設けられている。発射ハンドル９は、前面枠５の一部である前枠取付部１４に回動可能に組み付けられるハンドル基端部９Ａ、ハンドル基端部９Ａに一体に組み付けられるハンドル本体９Ｂ、ハンドル本体９Ｂに回転可能に軸支された操作部材９Ｃで構成されている。球受け皿７の上端部には遊技状態に応じて遊技者が操作する操作スイッチ１０、球受け皿７を開口させて遊技球をドル箱等に排出する球抜きレバー１１，１２などが設けられている。内枠３の後面側上部には貯留タンク１３が設けられている。この貯留タンク１３にはパチンコ機１が配置されたホールの遊技島から遊技球が供給されるようになっている。
【００２４】
［第１実施例］
次に、遊技機用発射ハンドル９の概略構成について図１を参照して説明する。図１において、発射ハンドル９は、前面枠５の一部を構成する前枠取付部１４に回動可能に組み付けられるハンドル基端部９Ａ、ハンドル基端部９Ａの前面凹部９ａ（図４参照）に組み付けられるハンドル本体９Ｂ、ハンドル本体９Ｂに対して回転可能に軸支された操作部材９Ｃが一体に組み付けられてなる。また、ハンドル基端部９Ａは、前枠取付部１４の前方に突設された操作解除部材１５（操作解除手段）を押動している間だけハンドル基端部９Ａを前枠取付部１４に対して回動させることができるように組み付けられている。また、操作部材９Ｃの外周には、遊技者が指を掛けて操作しやすいように指掛け部９ｃが突設されている。
【００２５】
次に、発射ハンドル９の各部の構成について図２乃至図６を参照して説明する。図２（ａ）〜（ｃ）は初期位置にある発射ハンドルの斜視図、正面図及び右側面図である。
【００２６】
図２（ａ）において、操作部材９Ｃは前面側をキャップ９ｂに覆われかつ回転位置を初期位置に保持するように図示しない戻りばねに常時付勢されたままハンドル本体９Ｂの前面側に回転可能に軸支されている。操作部材９Ｃの初期位置からの回転量を図示しないポテンショメータ（可変抵抗器）により電圧変化として検出して、遊技球の発射力を調整するようになっている。
【００２７】
ハンドル本体９Ｂは、図２（ｂ）に示すように操作部材９Ｃを初期位置に保持するように付勢されたまま回転可能に軸支し、図２（ｃ）に示すように後端側を前枠取付部１４に対して当該前枠取付部１４の前方に向けて交差する軸線を中心に回動可能に組み付けられている。即ち、ハンドル本体９Ｂは後端側をハンドル基端部９Ａの前面凹部９ａに嵌め込まれ、ハンドル基端部９Ａの後面側に突設されたボス部９ｄにねじ１６を嵌め込むことで一体に組み付けられている（図５参照）。
【００２８】
前枠取付部１４の後面側には、ハンドル本体９Ｂを前枠取付部１４に対して初期位置とそれより所定角度回動した位置にて固定する固定手段１７及び、固定手段１７によるハンドル本体９Ｂの固定状態を解除する操作解除部材１５が組み付けられている。操作解除部材１５は、前枠取付部１４の後面側に組み付けられ、前枠取付部１４の貫通孔１４ａより前面側に突出して組み付けられる。この操作解除部材１５を押圧操作している間だけ固定手段１７によるハンドル本体９Ｂ（ハンドル基端部９Ａ）の固定状態を解除して前枠取付部１４に対して回動可能に組み付けられている。
【００２９】
図４において、操作解除部材１５には、ハンドル基端部９Ａの後端側に突設された円筒部９ｅに対して接離動する揺動規制部１５ａが設けられている。図５に示すように前枠取付部１４の後面であって貫通孔１４ａの近傍には一対のボス部１４ｄが突設されている。操作解除部材１５にはボス部１４ｄを挿通して嵌め込む一対の嵌込み孔１５ｄが設けられている。また、操作解除部材１５の後面を覆って前枠取付部１４に組み付けられるカバー部材１８には、ねじ孔が設けられた一対のボス受け部１８ａが設けられている。
【００３０】
前枠取付部１４の後面側に操作解除部材１５を貫通孔１４ａに挿通して前面側に突設させ、嵌込み孔１５ｄにボス部１４ｄを挿通させて組み付ける。そして、操作解除部材１５の後面を覆うようにカバー部材１８をボス部１４ｄの端部にボス受け部１８ａを重ねあわせてねじ２０をねじ孔に嵌め込むことで一体に組み付けられる。これによって、操作解除部材１５は、付勢ばね１９によりカバー部材１８より離間する向き（貫通孔１４ａより前方に突出する向き）に常時付勢されている（図７（ａ）参照）。貫通孔１４ａより突出する操作解除部材１５は、付勢ばね１９の付勢力に抗して押圧操作することができる。操作解除部材１５の後端側には揺動規制部１５ａが形成されている。後述するように、揺動部材２１には規制ローラ２３ａ（回転体）が回転可能に軸支され、揺動規制部１５ａによって、規制ローラ２３ａがハンドル基端部９Ａの凹凸面９ｉの凹部９ｇ（図７（ｂ）参照）に押し当てられたまま規制ローラ２３ａの凹凸面９ｉに対する相対的転がり移動を規制することでハンドル本体９Ｂの回動動作を規制するようになっている。また、操作解除部材１５を操作して規制ローラ２３ａの凹凸面９ｉに対する相対的転がり移動の規制を解除することにより、ハンドル本体９Ｂの回動動作を許容するようになっている。
【００３１】
図５において、ハンドル基端部９Ａの後端側には、前枠取付部１４に形成された挿入孔１４ｂに挿入される円筒部９ｅが突設されている。この円筒部９ｅの外周面には、周方向に凹凸面が形成されている。具体的には、円筒部９ｅの外周面には頂部９ｆ（凸部）を介して複数（例えば３箇所）の凹部９ｇが周方向に連続して形成されている。この円筒部９ｅは、前枠取付部１４の後面側に起立形成された円弧壁１４ｃに同軸状に嵌め込まれる。円弧壁１４ｃには切欠き部１４ｅが３箇所に形成されており、２箇所の切欠き部１４ｅに対応する位置にはボス部１４ｆが突設されている。また、残りの１箇所の切欠き部１４ｅの近傍にはボス部１４ｇが突設されている。
【００３２】
ボス部１４ｇには揺動アーム２１の一端に設けられたボス孔２１ａが嵌め込まれ、ボス部１４ｇにねじ２２により組み付けられる。揺動アーム２１の中途部に設けられた収納部２１ｂには規制ローラ（回転体）２３ａがピン２４を中心にＥリング２５により抜け止めされて回動可能に軸支される。
また、二箇所のボス部１４ｆには補助ローラ２３ｂが嵌め込まれてねじ２６により抜け止めされて回動可能に組み付けられる。
【００３３】
図６（ａ）（ｂ）に示すように、揺動アーム２１の他端にはフック部２１ｃが形成されている。また前枠取付部１４の後面側にもフック部１４ｈが突設されている。このフック部２１ｃとフック部１４ｇとの間にはフックばね２７が連結されている。この結果、揺動アーム２１は、フックばね２７の付勢によりボス部１４ｇ（図７（ｂ）参照）を中心として反時計回り方向に付勢されている。この結果、図６（ｃ）（ｄ）に示すように、規制ローラ２３ａがハンドル基端部９Ａ（図３（ａ）参照）の凹凸面９ｉ（凹部９ｇ；図７（ｂ）参照）に押し当てられたまま、揺動規制部１５ａが規制ローラ２３ａの凹凸面９ｉ上の相対的転がり移動を規制することでハンドル本体９Ｂの回動動作を規制するようになっている。上述した構成によれば、揺動規制部１５ａ、揺動アーム２１及び規制ローラ２３ａにより規制部が構成され、ハンドル基端部９Ａの凹凸面９ｉが被規制部となる。
【００３４】
図７（ａ）（ｂ）において、円筒部１４ｃに嵌め込まれる円筒部９ｅは、凹部９ｇが切欠き部１４ｅに位置するように嵌め合わせられる。この凹部９ｇには、規制ローラ２３ａ及び補助ローラ２３ｂが当接して凹凸面９ｉに沿って相対的に転がり移動するように設けられる。円筒部９ｅの後端面にはねじ孔９ｈが２箇所に設けられている。この円筒部９ｅの後端面に蓋体２８が２箇所に設けられたねじ孔２８ａをねじ孔９ｈと位置合わせして重ね合わせてねじ２９によりねじ止めして各ローラが軸方向に抜け止めされて組み付けられる（図５参照）。ハンドル本体９Ｂの位置を固定する固定手段１７は、操作解除部材１５（揺動規制部１５ａ）、規制ローラ２３ａ、円筒部９ｅ（凹凸面９ｉ；頂部９ｆ及び凹部９ｇ）を含んでなる。固定手段１７はハンドル本体９Ｂを前枠取付部１４に対して所定位置とそれより軸線を中心に所定角度回動した位置にて固定する。
【００３５】
図７（ｂ）において、操作解除部材１５が非操作状態において、揺動アーム２１はフックばね２７により付勢されて、ハンドル基端部９Ａの後端部に形成された円筒部９ｅの凹部９ｇに規制ローラ２３ａが押し当てられ、かつ規制ローラ２３ａには操作解除部材１５の揺動規制部１５ａが押し当てられて規制ローラ２３ａの凹凸面９ｉに沿った相対的な転がり移動が規制される。これにより、遊技者がハンドル本体９Ｂを回動させようとしても、規制ローラ２３ａが凹凸面９ｉ上を転がり移動できないためハンドル基端部９Ａの回動動作が規制され、ハンドル本体９Ｂを回動することができない（図２参照）。
【００３６】
次に図８（ａ）に示すように、遊技者が操作解除部材１５を付勢ばね１９の付勢に抗して押圧すると、揺動規制部１５ａが規制ローラ２３ａより離間して規制ローラ２３ａの凹凸面９ｉに沿った相対的な転がり移動規制が解除される。このとき、揺動アーム２１がフックばね２７の付勢に抗して揺動可能な状態となり、ハンドル基端部９Ａの回動に伴って規制ローラ２３ａは凹部９ｇから頂部９ｆを乗り越えながら次の凹部９ｇへと転がり移動可能になる。よって、遊技者が操作解除部材１５を押圧したままハンドル本体９Ｂを時計回り方向に回転させることができる。図８（ａ）（ｂ）は、ハンドル本体９Ｂを初期位置（図７（ｂ）参照）より時計回り方向に１５度回転させた状態を示す。規制ローラ２３ａは凹部９ｇより頂部９ｆを乗り上げた状態となる。
【００３７】
図９（ａ）（ｂ）は、ハンドル本体９Ｂを初期位置（図７（ｂ）参照）より時計回り方向に３０度回転させた状態を示す。規制ローラ２３ａは凹部９ｇより頂部９ｆを乗り越えて次の凹部９ｇに嵌り込むように転がり移動する。このように、ハンドル本体９Ｂを回転させると規制ローラ２３ａは凹部９ｇから頂部９ｆを乗り越えながら次の凹部９ｇへと転がり移動するため、遊技者には適度なクリック感が得られ、ハンドル本体９Ｂの回転角度の調整がしやすくなる。このようにして、ハンドル本体９Ｂを初期位置（図２参照）から９０度回転させた状態を図３（ａ）（ｂ）に示す。
【００３８】
尚、図９（ａ）に示すように、操作解除部材１５の押圧を解除すると、付勢ばね１９の付勢により前枠取付部１４の前方へ突出するように移動するため、揺動規制部１５ａが規制ローラ２３ａを凹部９ｇとの間で挟み込んで凹凸面９ｉ上の転がり移動が規制されるため揺動アーム２１の揺動が規制されるため再度ハンドル本体９Ｂの位置が固定される。
【００３９】
よって、遊技者が右打ちを行なう際にハンドル本体９Ｂの初期位置を操作部材９Ｃの回転方向に変更することで、腕を目いっぱいひねることなくひねり戻して遊技することができ、長時間ハンドル操作しても疲労感が少なく遊技を楽しむことができる。
【００４０】
［第２実施例］
次に、ハンドル本体９Ｂの固定手段１７の他例について図１０乃至図１２を参照して説明する。前述した実施例と同一部材には同一番号を付して説明を援用するものとする。図１１において、ハンドル本体９Ｂの後端部に設けられたボス部９ｄはハンドル基端部９Ａを挿通してねじ１６によって一体に組み付けられる。
また、ハンドル基端部９Ａに設けられた円筒部９ｅが前枠取付部１４の挿入孔１４ｂを挿通して後面側に起立形成された円弧壁１４ｃに嵌め込まれる構成も同様である。
【００４１】
本実施例では、円筒部９ｅの凹凸面９ｉに当接して転がり移動する特定のローラの動作を規制するのではなく、ハンドル基端部９Ａの後端面に一体に組み付けられた被規制板３０（被規制部）の回動を規制部により規制することでハンドル基端部９Ａ（ハンドル本体９Ｂ）の回動動作が規制されるようになっている。即ち、図１０（ａ）〜（ｃ）に示すように、固定手段１７は、ハンドル本体９Ｂの後端側であるハンドル基端部９Ａに設けられた被規制板３０と、該被規制板３０に対して接離動する規制アーム１５ｂ（規制部）を備えている。操作解除部材１５の非操作状態において、規制アーム１５ｂを被規制板３０に当接させることでハンドル本体９Ｂの回動動作を規制し、操作解除部材１５を操作状態にすることで、規制アーム１５ｂを被規制板３０から離間させて、ハンドル本体９Ｂの回動動作を許容する。
【００４２】
具体的には、ハンドル基端部９Ａの円筒部９ｅ後端部には被規制板３０が一体に組み付けられている。この被規制板３０には、周方向の一部には、回動角度調整用の当接歯３０ａが周方向で複数箇所に放射状に形成されている。同様に周方向に複数箇所でスリット３０ｂが放射状に形成されている。スリット３０ｂは被規制板３０の軸方向の押圧が強まるのを軸方向に変形を許容して防ぐために設けられている。
【００４３】
操作解除部材１５は、付勢ばね１９を介してカバー部材１８により前枠取付部１４の前方に突出するように付勢されている点は同様である。図１２（ａ）において、操作解除部材１５が非操作状態にあるとき、いずれかの当接歯３０ａ間には、規制アーム（規制部）１５ｂが入り込んでおり、ハンドル基端部９Ａ（ハンドル本体９Ｂ）の回動を規制するようになっている。
【００４４】
図１１において、前枠取付部１４の後面に突設されたボス部１４ｆに補助ローラ２３ｂが回転可能に嵌め込まれる。また、その後面にはリング状のローラ押さえ部材３１が前面側に突設されたボス部３１ａに補助ローラ２３ｂがねじ３２により止められて重ね合わされ、ローラ押さえ部材３１の後面側よりボス部１４ｆに設けられたねじ孔にねじ２６が嵌め込まれ、かつボス部１４ｇに設けられたねじ孔にねじ３３を嵌め込むことでローラ押さえ部材３１が前枠取付部１４の後面側に組み付けられる。
【００４５】
また、ローラ押さえ部材３１を挿通して嵌め込まれたハンドル基端部９Ａの円筒部９ｅには被規制板３０がねじ孔９ｈとねじ孔３０ｃを重ね合わせてねじ３４によりねじ止めされて組み付けられる。
【００４６】
また、図１１において、操作解除部材１５は、ガイドロッド１５ｃが後面に嵌め込まれかつその周囲に付勢ばね１９が嵌め込まれて前枠取付部１４の後面側に組み付けられる。具体的には、操作解除部材１５を貫通孔１４ａに挿通して前面側に突設させ、嵌込み孔１５ｄにボス部１４ｄを挿通させて組み付ける。そして、操作解除部材１５の後面を覆うようにカバー部材１８をボス部１４ｄの端部にボス受け部１８ａを重ねあわせてねじ２０をねじ孔に嵌め込むことで一体に組み付けられる。このとき、規制アーム１５ｂはローラ押さえ部材３１に径方向に沿って対向して形成された一対のガイド壁３１ｂどうしの間に位置決めされて組み付けられる。規制アーム１５ｂは操作解除部材１５が押圧操作されるたびにこの一対のガイド壁３１ｂに案内されて軸方向に移動するようになっている。
【００４７】
図１２（ａ）は操作解除部材１５が非操作状態の断面図である。規制アーム１５ｂは被規制板３０に対して軸方向に接近して規制アーム１５ｂが被規制板３０の当接歯３０ａ間に入り込んでいるため、被規制板３０の回動が規制される。これによって、ハンドル基端部９Ａ（ハンドル本体９Ｂ）の回動動作が規制される。
【００４８】
また、図１２（ｂ）は操作解除部材１５が操作状態の断面図である。遊技者が操作解除部材１５を付勢ばね１９の付勢に抗して押圧すると、規制アーム１５ｂが被規制板３０に対して軸方向に離間して、規制アーム１５ｂが被規制板３０の当接歯３０ａ間より軸方向に抜け出る。よって、遊技者が操作解除部材１５を操作したままハンドル本体９Ｂを時計回り方向に回転させることができる。
【００４９】
以上のように、規制アーム１５ｂを被規制部３０に接離動させるだけでハンドル本体９Ｂの回動可否を部品点数の少ない簡素化した機構で実現でき、発射ハンドルの構造を簡素化して耐久性を向上させることができる。
尚、ローラ押さえ部材３１の補助ローラ２３ｂへの当接が強すぎると、補助ローラ２３ｂが転がり難くなるためハンドル基端部９Ａの回動がスムーズに行なえないことも想定される。しかしながら、被規制板３０に設けられたスリット３０ｂによって当該被規制板３０が後方に反り易くなるため、ハンドル基端部９Ａの回動がスムーズに行なえる。
また、遊技者が操作解除部材１５の押圧を解除すると、付勢ばね１９の付勢によって規制アーム１５ｂが被規制板３０の当接歯３０ａに入り込んでハンドル基端部９Ａ（ハンドル本体９Ｂ）がその位置で位置決めされる。
【００５０】
また、上記実施例は、操作解除部材１５の非操作状態において、規制アーム１５ｂは被規制板３０に対して軸方向に接近して当接歯３０ａ間に入り込むようになっていたが、径方向に当接歯３０ａ間に入り込むことでハンドル本体９Ｂの回動動作を規制し、操作解除部材１５を操作状態にすることで、規制アーム１５ｂが被規制板３０に対して径方向に離間して当接歯３０ａ間より抜け出ることで、ハンドル本体９Ｂの回動動作を許容するようにしても良い。
【００５１】
［第３実施例］
次に、ハンドル本体９Ｂの固定手段１７の他例について図１２乃至図１４を参照して説明する。前述した実施例と同一部材には同一番号を付して説明を援用するものとする。
図１４において、ハンドル基端部９Ａに設けられた円筒部９ｅが前枠取付部１４の挿入孔１４ｂを挿通して後面側に起立形成された円弧壁１４ｃに嵌め込まれる構成も同様である。但し、円筒部９ｅの外周面に当接して転がり移動する回転体や回転体が当接する凹凸面９ｉは省略されている。
【００５２】
図１４において、ハンドル基端部９Ａの円筒部９ｅの後端面には、周方向で複数箇所に凹部３５ａが形成された被規制板３５（被規制部）がねじ一体に組み付けられる。具体的には、被規制板３５に設けられたねじ孔３５ｂを円筒部９ｅのねじ孔９ｈに重ね合わせてねじ４２によりねじ止めされる。
【００５３】
また、被規制板３５の後面側には、板ばね保持部材３６が前枠取付部１４の後面に設けられたボス部１４ｆ，１４ｇに対してねじ３７により一体に組み付けられる。板ばね保持部材３６の中央部には抜き孔３６ａが設けられている。この抜き孔３６ａには円筒部９ｅに組み付けられる被規制板３５を挿入して収容される。また、この抜き孔３６ａの後面側には当該抜き孔３６ａを横断するように長尺状の板ばね３８の一端が後面側よりねじ３９により固定される。板ばね３８の他端（自由端側）には前面側に凸部４０ａ（規制部）とボス部４０ｂが各々突設された規制板４０がボス部４０ｂに後面側よりねじ４１を嵌め込んで組み付けられる。
【００５４】
規制板４０の凸部４０ａは、操作解除部材１５が非操作状態にあるときには被規制板３５の凹部３５ａに嵌合して被規制板３５、即ちハンドル基端部９Ａ（ハンドル本体９Ｂ）の回動を規制している（図１５（ａ）参照）。凸部４０ａは先端側が先細りしたテーパー形状をしており、凹部３５ａの内壁はピン進入側の開口径が反対側より大きい逆テーパー形状をしており、凸部４０ａの進退動がスムーズに行なえるようになっている。
【００５５】
また、図１４において、操作解除部材１５は、ガイドロッド１５ｃが後面に嵌め込まれかつその周囲に付勢ばね１９が嵌め込まれて前枠取付部１４の後面側に組み付けられる。具体的には、操作解除部材１５を貫通孔１４ａに挿通して前面側に突設させ、嵌込み孔１５ｄにボス部１４ｄを挿通させて組み付ける。そして、操作解除部材１５の後面を覆うようにカバー部材１８をボス部１４ｄの端部にボス受け部１８ａを重ねあわせてねじ２０をねじ孔に嵌め込むことで一体に組み付けられる。また、操作解除部材１５の後面側には、押圧部１５ｅが板ばね保持部材３６側に延設されている。
【００５６】
図１５（ａ）は操作解除部材１５が非操作状態の断面図である。操作解除部材１５の非操作状態において、板ばね３８のばね力により凸部４０ａがいずれか一つの凹部３５ａに嵌り込むことでハンドル本体９Ｂの回動動作を規制する。凸部４０ａが被規制部材３５の凹部３５ａに嵌合しており、被規制板３５の回動が規制される。これによって、ハンドル基端部９Ａ（ハンドル本体９Ｂ）の回動動作が規制される。また、押圧部１５ｅは板ばね３８の先端部（自由端側）に当接した状態にある。
【００５７】
図１５（ｂ）は操作解除部材１５が操作状態の断面図である。遊技者が操作解除部材１５を操作状態にする、即ち操作解除部材１５を付勢ばね１９の付勢に抗して押圧すると、押圧部１５ｅが板ばね３８の先端を押圧して撓ませる。このとき、板ばね３８が撓むことで凸部４０ａが被規制板３５の凹部３５ａより一時的に抜け出るため、被規制板３５は回動可能になる。よって、遊技者が操作解除部材１５を操作したままハンドル本体９Ｂを時計回り方向に回転させることができる。
【００５８】
尚、遊技者が操作解除部材１５の押圧を解除すると押圧部１５ｅによる板ばね３８への押圧が解除されるため、付勢ばね１９のばね力によって、被規制板３５の凹部３５ａに再度凸部４０ａが嵌り込んでハンドル基端部９Ａ（ハンドル本体９Ｂ）がその位置で位置決めされる。
【００５９】
上記実施例は、ハンドル本体９Ｂとハンドル基端部９Ａを別体として形成されていたが一体に形成されていてもよい。
また、ハンドル本体９Ｂは前枠取付部１４に対する突設方向に沿った軸線（第一の軸線）を中心に回動可能設けられているが、当該軸線と水平方向に交差する軸線（第二の軸線）を中心に回動可能に設けられていても良い。
更には、遊技機用発射ハンドルは、パチンコ機１に備えたものについて説明したが、他の遊技機、例えば雀球遊技機やアレンジボール遊技機などに備えていてもよい。
【符号の説明】
【００６０】
１  パチンコ機  
２  外枠  
３  内枠  
４  ヒンジ部  
５  前面枠  
５ａ  窓部  
５ｂ  透明部材  
６  スピーカ  
７  球受け皿  
９  発射ハンドル  
９Ａ  ハンドル基端部  
９Ｂ  ハンドル本体  
９Ｃ  操作部材  
９ａ  前面凹部  
９ｂ  キャップ  
９ｃ  指掛け部  
９ｄ，２１ａ  ボス孔  
９ｅ  円筒部  
９ｆ  頂部  
９ｇ，３５ａ  凹部  
９ｈ，２８ａ，３０ｃ，３５ｂ  ねじ孔  
９ｉ  凹凸面
１０  操作スイッチ  
１１，１２  球抜きレバー  
１３  貯留タンク  
１４  前枠取付部  
１４ａ  貫通孔  
１４ｂ  挿入孔  
１４ｃ  円弧壁  
１４ｄ，１４ｆ，１４ｇ，３１ａ，４０ｂ  ボス部  
１４ｅ  切欠き部  
１４ｈ  フック部  
１５  操作解除部材
１５ａ  揺動規制部  
１５ｂ  規制アーム  
１５ｃ  ガイドロッド  
１５ｄ  嵌込み孔
１５ｅ  押圧部
１６，２０，２２，２６，２９，３２，３３，３４，３７，３９，４２  ねじ  
１７  固定手段  
１８  カバー部材
１８ａ  ボス受け部  
１９  付勢ばね  
２１  揺動アーム  
２１ａ  ボス孔
２１ｂ  収納部  
２１ｃ  フック部  
２３ａ  規制ローラ  
２３ｂ  補助ローラ  
２４  ピン  
２５  Ｅリング  
２７  フックばね  
２８  蓋体  
３０，３５  被規制板  
３０ａ  当接歯
３０ｂ  スリット  
３１  ローラ押さえ部材  
３１ｂ  ガイド壁  
３６  板ばね保持部材  
３６ａ  抜き孔  
３８  板ばね  
４０  規制板  
４０ａ  凸部
【図１】
2012024379.tif 000003
【図２】
2012024379.tif 000004
【図３】
2012024379.tif 000005
【図４】
2012024379.tif 000006
【図５】
2012024379.tif 000007
【図６】
2012024379.tif 000008
【図７】
2012024379.tif 000009
【図８】
2012024379.tif 000010
【図９】
2012024379.tif 000011
【図１０】
2012024379.tif 000012
【図１１】
2012024379.tif 000013
【図１２】
2012024379.tif 000014
【図１３】
2012024379.tif 000015
【図１４】
2012024379.tif 000016
【図１５】
2012024379.tif 000017